(57)【要約】      （修正有）【課題】尿取りパッドの差し込み作業を容易にすることができる案内具を提供する。【解決手段】案内具２は、体とオムツとの隙間に尿取りパッドＰＤを案内するものであり、長尺状の本体１０と、本体１０の基端側に設けられた把手構造２０と、本体１０の先端側に設けられ尿取りパッドＰＤに対して係合する係合構造３０と、を備える。尿取りパッドＰＤの基端側は把手構造２０に位置し、尿取りパッドＰＤの先端側は、係合構造３０に位置する。さらに、尿取りパッドＰＤの先端側は、折り返されている。係合構造３０は、体側に位置し、先端に向かって突出する体側突出部３１と、体側突出部３１よりもオムツ側に位置し、先端に向かって突出するオムツ側突出部３２と、を備える。体側突出部３１とオムツ側突出部３２との間には、折り返された尿取りパッドＰＤの先端側の端部が挿入可能な先端側挿入溝３０Ｘが形成される。【選択図】図２
2018121869.tif 000002
【特許請求の範囲】
【請求項１】
第１物体と第２物体との隙間に被案内物を案内する案内具であって、
長尺状の本体と、
前記本体の基端側に設けられた把手構造と、
前記本体の先端側に設けられ、前記被案内物に対して係合する係合構造と、を備え、
前記被案内物は、前記本体の長さ方向に配されるとともに、先端側の端部が折り返され、
前記係合構造は、前記被案内物の折り目部分に対して係合することを特徴とする案内具。
【請求項２】
前記係合構造は、
前記第１物体側に位置し、先端に向かって突出する第１突出部と、
前記第１突出部よりも前記第２物体側に位置し、先端に向かって突出する第２突出部と、を備え、
前記第１突出部の先端が前記被案内物の折り目に対して係合し、
前記第１突出部及び前記第２突出部の間には、折り返された前記被案内物の先端側の端部が挿入可能な先端側挿入溝が形成されたことを特徴とする請求項１記載の案内具。
【請求項３】
前記第２突出部は、前記第１突出部よりも先端側へ突出することを特徴とする請求項２記載の案内具。
【請求項４】
前記第２突出部の中途部は、前記第２突出部の先端に比べて、前記第２物体側に突出することを特徴とする請求項２または３記載の案内具。
【請求項５】
前記被案内物は、尿を吸収可能なシートであることを特徴とする請求項１ないし４のうちいずれか１項記載の案内具。
【発明の詳細な説明】
【技術分野】
【０００１】
本発明は、案内具に関する。
【背景技術】
【０００２】
オムツと肌との隙間に配される尿取りパッドが知られている。尿取りパッドによれば、仰向けの老人等の股間に差し込みにくく、また、座った状態においても差し込もうとしても、肌や下着の摩擦によりうまく差し込むことができなかった。かかる課題を解決するために、差し込み作業が容易となる尿取りパッドが知られている（例えば、特許文献１）。
【先行技術文献】
【特許文献】
【０００３】
【特許文献１】特開２００３−２９９６８６号公報
【発明の概要】
【発明が解決しようとする課題】
【０００４】
しかしながら、特許文献１に記載の尿取りパッドでは、指の力を使って、肌と下着の隙間に尿取りパッドを挿入する必要があるため、挿入作業に大きな力が必要となり、大きな作業負担となっている。
【０００５】
本発明は、斯かる実情に鑑み、尿取りパッドの挿入作業を容易にすることができる案内具を提供しようとするものである。
【課題を解決するための手段】
【０００６】
本発明は、第１物体と第２物体との隙間に被案内物を案内する案内具であって、長尺状の本体と、前記本体の基端側に設けられた把手構造と、前記本体の先端側に設けられ、前記被案内物に対して係合する係合構造と、を備え、前記被案内物は、前記本体の長さ方向に配されるとともに、先端側の端部が折り返され、前記係合構造は、前記被案内物の折り目部分に対して係合することを特徴とする。
【発明の効果】
【０００７】
本発明によれば、尿取りパッドの挿入作業を容易にすることができる案内具を提供することができる。
【図面の簡単な説明】
【０００８】
【図１】（Ａ）は、案内具の側面図であり、（Ｂ）は案内具の平面図である。
【図２】尿取りパッドが装着された案内具の側面図である。
【図３】（Ａ）は、尿取りパッドが装着された案内具の平面図であり、（Ｂ）は、尿取りパッドが装着された案内具の底面図である。
【発明を実施するための形態】
【０００９】
図１〜２に示すように、案内具２は、体（第１物体）とオムツ（第２物体）との隙間に尿取りパッドＰＤ（被案内物）を案内するものであり、長尺状の本体１０と、本体１０の基端側に設けられた把手構造２０と、本体１０の先端側に設けられ尿取りパッドＰＤに対して係合する係合構造３０と、を備える。
【００１０】
尿取りパッドＰＤは、尿を吸収可能なものであり、シート状に形成される。さらに、尿取りパッドＰＤは、本体１０の長さ方向に配される。尿取りパッドＰＤの基端側は把手構造２０に位置し、尿取りパッドＰＤの先端側は、係合構造３０に位置する。さらに、尿取りパッドＰＤの先端側は、折り返されている。
【００１１】
把手構造２０は、棒状に形成されるものであり、その長さは、手のひらで握ることが可能な程度であることが好ましい。把手構造２０には、尿取りパッドＰＤの基端側の端部ＰＤが挿入可能な基端側挿入溝２０Ｘが形成される。
【００１２】
係合構造３０は、体側に位置し、先端に向かって突出する体側突出部３１（第１突出部）と、体側突出部３１よりもオムツ側に位置し、先端に向かって突出するオムツ側突出部３２（第２突出部）と、を備える。
【００１３】
体側突出部３１は、尿取りパッドＰＤの折り目部分に対して係合可能な形状となっている。また、オムツ側突出部３２は、体側突出部３１よりも先端側へ突出することが好ましい。さらに、オムツ側突出部３２の中途部３２Ｔは、オムツ側突出部３２の先端３２Ｅに比べて、オムツ側へ突出することが好ましい。体側突出部３１やオムツ側突出部３２の先端は、円弧状または楕円弧状となっていることが好ましい。体側突出部３１やオムツ側突出部３２の厚みは、先端に向かうにしたがって薄くなっていることが好ましい。体側突出部３１とオムツ側突出部３２との間には、折り返された尿取りパッドＰＤの先端側の端部が挿入可能な先端側挿入溝３０Ｘが形成されることが好ましい。
【００１４】
また、係合構造３０の全体としての厚みは、オムツ側突出部３２の先端３２Ｅからオムツ側突出部３２の中途部３２Ｔに向かうにしたがって次第に厚くなり、オムツ側突出部３２の中途部３２Ｔからオムツ側突出部３２の基端３２Ｂに向かうにしたがって次第に薄くなることが好ましい。そして、オムツ側突出部３２の中途部３２Ｔは、オムツ側に向かって凸となる曲面を有し、曲面は滑らかな形状であることが好ましい。
【００１５】
なお、本体及び係合構造３０の幅は、尿取りパッドＰＤよりも狭くてもよいし、尿取りパッドＰＤよりも広くてもよい。
【００１６】
次に、案内具２の使用方法について説明する。
【００１７】
図２〜３に示すように、尿取りパッドＰＤを本体１０の長さ方向に沿って配置する。このとき、尿取りパッドＰＤの基端側は把手構造２０に位置し、尿取りパッドＰＤの先端側は、係合構造３０に位置する。さらに、尿取りパッドＰＤの先端側は、折り返されている。
【００１８】
尿取りパッドＰＤの基端側の端部は、基端側挿入溝２０Ｘに挿入される。尿取りパッドＰＤの折り目ＰＤｘは、体側突出部３１に対して係合し、尿取りパッドＰＤの先端側の端部ＰＤ２は、先端側挿入溝３０Ｘに挿入される。ここで、把手構造２０には基端側挿入溝２０Ｘが形成されるため、把手構造２０を握る手は、尿取りパッドＰＤの先端側の端部を抑えることができる。ここで、尿取りパッドＰＤの基端側の端部を、軽く引っ張ることにより、体側突出部３１が尿取りパッドＰＤの折り目部分に対して係合する。これにより、尿取りパッドＰＤが案内具２から外れにくくなる。
【００１９】
そして、体とオムツとの隙間に、本体１０の先端側を挿入する。このとき、オムツ側突出部３２は、体側突出部３１よりも先端側へ突出するため、挿入操作により、尿取りパッドＰＤの挿入空間を形成することができる。さらに、オムツ側突出部３２の中途部は、オムツ側突出部３２の先端に比べて、オムツに突出するため、挿入操作による尿取りパッドＰＤの挿入空間をより確実に形成することができる。
【００２０】
このような案内具２を用いて挿入操作を行うことにより、尿取りパッドＰＤのツレやシワの発生を抑えながら、尿取りパッドＰＤを所定の位置まで案内することができる。
【００２１】
尿取りパッドＰＤを所定の位置まで案内した後は、尿取りパッドＰＤの基端側の端部を離して、そのまま、案内具２を抜き取ればよい。ここで、体側突出部３１やオムツ側突出部３２の先端は、円弧状または楕円弧状となっている。また、係合構造３０の全体としての厚みは、オムツ側突出部３２の先端部からオムツ側突出部３２の中途部に向かうにしたがって次第に厚くなり、オムツ側突出部３２の中途部からオムツ側突出部３２の基端部に向かうにしたがって薄くなっている。そして、オムツ側突出部３２の中途部は滑らかとなっていることが好ましい。このため、案内具２を抜き取り操作の際に、尿取りパッドＰＤが案内具２に引っかかりにくい。なお、オムツの外側から尿取りパッドＰＤを抑えながら、案内具２の抜き取り操作を行ってもよい。
【００２２】
このように、案内具２によれば、指の力を使って、体とオムツの隙間に尿取りパッドを挿入する必要がないため、挿入作業が容易となる。さらに、挿入作業が容易となる構成が、特許文献１のように、尿取りパッドの形状等に依存するものではないため、あらゆる尿取りパッドにも適用可能である。
【００２３】
上記実施形態では、体とオムツの隙間に対し、尿取りパッドを挿入したが、本発明はこれに限られない。体と下着の隙間に対し、尿取りパッドを挿入してもよい。また、体とオムツの隙間に対し、シート状のものを挿入する際にも利用できるし、体とオムツの隙間以外の隙間（例えば、わきの下とシャツの隙間）に対し、所定の被案内物を挿入する際にも利用できる。被案内物としては、シート状以外ものとして、紐状、長尺状のものでもよい。
【００２４】
なお、尿取りパッドＰＤに仮止めが可能な粘着部が設けられている場合には、粘着部を、先端側挿入溝３０Ｘを形成する部分に着けた状態で、尿取りパッドＰＤの挿入操作を行ってもよい。また、基端側挿入溝２０Ｘを形成する部分や、先端側挿入溝３０Ｘを形成する部分には、尿取りパッドＰＤを仮止めが可能な粘着部が設けられてもよい。
【００２５】
上記の案内具２は、尿取りパッドＰＤの挿入操作や抜き取り操作の際に用いたが、尿取りパッドＰＤと体の隙間に案内具２を挿入し、隙間を広げることにより、装着状態の尿取りパッドＰＤの汚れ具合を確認することもできる。
【００２６】
上記実施形態では、尿取りパッドＰＤの折り目部分としては、特許文献１のように、袋状となっている部分を含むものとする。
【００２７】
上記実施形態では、オムツ側突出部３２の体側の面が平らになっていたが、本発明はこれに限られず、オムツ側突出部３２の体側の面には、オムツ側に向かって窪む窪み部が形成されていてもよい。この場合において、体側突出部３１は、窪み部に位置してもよい。窪み部に対する体側突出部３１の配置位置を調節することにより、尿取りパッドＰＤの係合の程度を調節することができる。また、上記実施形態では、体側突出部３１とオムツ側突出部３２とが一体に形成されていたが、本発明はこれに限られず、それぞれ別体に形成された体側突出部３１とオムツ側突出部３２が連結されていてもよい。
【００２８】
尚、本発明は、上記した実施の形態に限定されるものではなく、本発明の要旨を逸脱しない範囲内において種々変更を加え得ることは勿論である。
【符号の説明】
【００２９】
２     案内具
１０   本体
２０   把手構造
２０Ｘ 基端側挿入溝
３０   係合構造
３０Ｘ 先端側挿入溝
３１   体側突出部
３２   オムツ側突出部
３２Ｂ 基端
３２Ｅ 先端
３２Ｔ 中途部
【図１】
2018121869.tif 000003
【図２】
2018121869.tif 000004
【図３】
2018121869.tif 000005